(57)【要約】【課題】簡易な構成でスポット光の生成領域の自由度を高くでき、汎用性を高くできる車室内照明装置を提供すること。【解決手段】照明装置は、一対一に対応する、複数の光源部と、複数の反射部５１を備える。光源部と、それに対応する反射部５１で光照射部６１を構成する。複数の光照射部６１は、１以上のルーム照射部と、１以上のスポット照射部とを含み、ルーム照射部が、広範囲領域を照射する一方、スポット照射部は、上記広範囲領域よりも狭いスポット領域を照射する。少なくとも１つのスポット照射部に関し、そのスポット照射部に含まれる反射部５１ａ,５１ｅで構成されるスポット反射部は、そのスポット照射部が出射する光の光軸が、基板１１の法線に対して傾斜するように配置される。【選択図】図７
2019177720.tif 000002
【特許請求の範囲】
【請求項１】
基板と、
前記基板上に配置された複数の光源部であって、前記各光源部が前記基板上に実装された１以上の発光素子を含む前記複数の光源部と、
前記光源部毎に設けられ、前記光源部から出射される光の進行領域を画定するように配置される反射部と、
前記光源部から出射された光が透過する光学部材と、を備え、
複数の前記反射部は、直接又は連結部を介して互いに連結され、
前記光源部と、その光源部が出射する光の前記進行領域を画定する前記反射部は、光照射部を構成し、
複数の前記光照射部は、１以上のルーム照射部と、１以上のスポット照射部とを含んで、前記ルーム照射部が、広範囲領域を照射する一方、前記スポット照射部は、前記広範囲領域よりも狭いスポット領域を照射し、
少なくとも１つの前記スポット照射部に関し、そのスポット照射部に含まれる前記反射部で構成されるスポット反射部は、そのスポット照射部が出射する光の光軸が、前記基板の法線に対して傾斜するように配置される、車室内照明装置。
【請求項２】
前記基板は、一方向に延在する細長い板形状を有し、
前記一方向と前記光軸を含む断面において、前記スポット反射部は、前記光軸に対して線対称となる一対の直線上に略位置する、請求項１に記載の車室内照明装置。
【請求項３】
複数の前記光源部が、前記基板上に一例に配置される、請求項１又は２に記載の車室内照明装置。
【請求項４】
前記１以上のスポット照射部には、前記基板の周辺側に位置する周辺スポット照射部が含まれ、前記１以上のルーム照射部には、前記周辺スポット照射部よりも前記基板の中央側に位置する中央ルーム照射部が含まれる、請求項１乃至３のいずれか１つに記載の車室内照明装置。
【請求項５】
前記複数の反射部と前記光学部材とを統合し、前記光源部からの光を外部に照射させると共に前記光源部毎に設けられる貫通孔を有する筐体を備え、
前記各貫通孔の開口は、それに対応する前記反射部の光出射側に位置する開口の形状に対応する形状を有する、請求項１乃至４のいずれか１つに記載の車室内照明装置。
【請求項６】
前記反射部の光出射側に位置する開口の形状は、矩形状である、請求項５に記載の車室内照明装置。
【請求項７】
前記光学部材の光入射面に、格子状に並べられたプリズムが設けられた格子状プリズム部が含まれる、請求項１乃至６のいずれか１つに記載の車室内照明装置。
【請求項８】
前記光学部材の光入射面に、間隔をおいて同じ方向に平行に延在する複数の突条プリズムが設けられた突条プリズム部が含まれる、請求項１乃至７のいずれか１つに記載の車室内照明装置。
【請求項９】
前記光学部材の光入射面に、外部から前記発光素子を視認できない間隔で複数のプリズムが設けられる、請求項７又は８に記載の車室内照明装置。
【請求項１０】
前記基板は、一方向に延在し、
前記基板から前記光学部材までの前記基板の法線方向の距離は、複数の前記発光素子において最も前記一方向の寸法が長い最大発光素子における前記一方向の寸法の５倍以上３０倍以下である、請求項１乃至９のいずれか１つに記載の車室内照明装置。
【請求項１１】
運転席及び助手席と、
請求項１乃至１０のいずれか１つに記載の車室内照明装置と、を備え、
１以上の前記スポット照射部には、前記運転席又は前記助手席の周辺領域を照射する座席照射部が含まれる、車両。
【発明の詳細な説明】
【技術分野】
【０００１】
本開示は、車室内照明装置、及び車両に関する。
【背景技術】
【０００２】
従来、車室内全体を広く照らすルームランプ機能と、車室内の局所をスポット的に明るく照らすスポット機能を有する車室内照明装置としては、特許文献１に記載されているものがある。この車室内照明装置のハウジングは、平坦部、側壁部、及び取付部を備える。側壁部は、平坦部の端部に配置され、平坦部から正面側に平坦部に直交するように突出する。また、取付部は、平坦部に対して傾斜するように側壁部に取り付けられる。この車室内照明装置は、取付部を平坦部に対して傾斜するように設置することで、取付部を経由する光が、平坦部に対して傾斜する方向に進行するようにし、その光がスポット光を生成するようにしている。
【先行技術文献】
【特許文献】
【０００３】
【特許文献１】特開２０１１−２１３１５８号公報
【発明の概要】
【発明が解決しようとする課題】
【０００４】
引用文献１の車室内照明装置では、スポット光を生成するのに、平坦部の端部に側壁部を設けるだけでなく、取付部を平坦部に対して傾斜するように側壁部に取り付ける必要がある。したがって、構造が複雑になり、車室内照明装置が大型化し易い。更には、構造が複雑であるので、設計変更の自由度が低い。よって、スポット光の生成領域を容易に変更しにくく、汎用性が低い。
【０００５】
そこで、本開示の目的は、簡易な構成でスポット光の生成領域の自由度を高くでき、汎用性を高くできる車室内照明装置を提供することにある。
【課題を解決するための手段】
【０００６】
上記課題を解決するため、本開示に係る車室内照明装置は、基板と、基板上に配置された複数の光源部であって、各光源部が基板上に実装された１以上の発光素子を含む複数の光源部と、光源部毎に設けられ、光源部から出射される光の進行領域を画定するように配置される反射部と、光源部から出射された光が透過する光学部材と、を備え、複数の反射部は、直接又は連結部を介して互いに連結され、光源部と、その光源部が出射する光の進行領域を画定する反射部は、光照射部を構成し、複数の光照射部は、１以上のルーム照射部と、１以上のスポット照射部とを含んで、ルーム照射部が、広範囲領域を照射する一方、スポット照射部は、広範囲領域よりも狭いスポット領域を照射し、少なくとも１つのスポット照射部に関し、そのスポット照射部に含まれる反射部で構成されるスポット反射部は、そのスポット照射部が出射する光の光軸が、基板の法線に対して傾斜するように配置される。
【発明の効果】
【０００７】
本開示に係る車室内照明装置によれば、簡易な構成でスポット光の生成領域の自由度を高くでき、汎用性を高くできる。
【図面の簡単な説明】
【０００８】
【図１】本開示の一実施形態に係る車室内照明装置を正面側から見たときの斜視図であり、車室内照明装置が車室天井に設置された状態で下側から見たときの斜視図である。
【図２】上記車室内照明装置の分解斜視図である。
【図３】上記車室内照明装置の筐体を前側から見たときの斜視図である。
【図４】上記筐体を後側から見たときの斜視図である。
【図５】上記車室内照明装置の反射板を正面から見たときの正面図である。
【図６】上記反射板を図５に矢印Ｂで示すＹ方向一方側から見たときの側面図である。
【図７】図１のＡ‐Ａ線断面図である。
【図８】図７に示す断面図における基板延在方向の片側端部領域の拡大断面図である。
【図９】上記車室内照明装置の透光性カバーを表側から見たときの斜視図である。
【図１０】（ａ）は、透光性カバーに設けられる突条プリズムの断面形状の一例を表す図であり、（ｂ）は、透光性カバーに設けられる突条プリズムの断面形状の他例を表す図である。
【図１１】変形例の照明装置における図１に対応する斜視図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の説明及び図面において、Ｘ方向は、細長い板形状を有する基板の延在方向である一方向を示し、Ｙ方向は、基板の幅方向を示し、Ｚ方向は、基板の法線方向を示す。Ｘ方向、Ｙ方向、及びＺ方向は、互いに直交する。また、以下の実施例では、図面において同一構成に同一符号を付し、重複する説明を省略する。
【００１０】
図１は、本開示の一実施形態に係る車室内照明装置１を正面側から見たときの斜視図であり、車室内照明装置１が車室天井に設置された状態で下側から見たときの斜視図である。また、図２は、車室内照明装置（以下、単に照明装置という）１の分解斜視図である。なお、照明装置１は、自動車等の車両における前側天井の幅方向の略中央部に設置される仕様になっている。しかし、本開示の照明装置は、車両の車室内のいずれの箇所に設置されてもよく、車両前側の天井に設置されない仕様でもよい。
【００１１】
最初に、図２等を用いて、照明装置１を一体に統合する構造について説明する。図２に示すように、照明装置１は、光源基板１０、筐体３０、反射板５０、及び光学部材の一例としての板状の透光性カバー７０を備え、光源基板１０は、基板１１と、複数の光源部１２を有する。基板１１は、細長い板形状を有し、一方向としてのＸ方向に延在する。また、複数の光源部１２は、Ｘ方向に互いに間隔をおいて配置され、各光源部１２は、基板１１に実装された１以上のＬＥＤ（light emitting diode）１５を含む。ＬＥＤ１５は、発光素子を構成する。車両のバッテリーからの電力が、変圧部で適切に変換された後、各ＬＥＤ１５に供給されると、ＬＥＤ１５が光を出射する。本実施例では、照明装置１が備える複数のＬＥＤ１５は、全て同一のＬＥＤ１５で構成される。しかし、照明装置が備える複数のＬＥＤは、異なる２以上のＬＥＤを含んでもよい。
【００１２】
筐体３０は、金属材料や硬い樹脂材料で構成され、樹脂材料としては、ポリプロピレン（ＰＰ）樹脂やＡＢＳ樹脂を好適に採用できる。図３は、筐体３０を前側から見たときの斜視図であり、図４は、筐体３０を後側から見たときの斜視図である。図３に示すように、筐体３０は、Ｘ方向に延在する細長い凹部３１を前側に有する。また、筐体３０は、凹部３１の底面と後側面との間を連通すると共に、光源部１２の数と同数の複数の貫通孔３２を有する。図２に示すように、複数の光源部１２ａ〜１２ｅは、複数の貫通孔３２ａ〜３２ｅと一対一に対応する。また、図４に示すように、筐体３０は、略平面で構成される裏面部３５を有し、凹部３１を画定する突出壁部３３が、裏面部３５からＺ方向裏側に突出する。突出壁部３３は、最も裏側に位置する箇所に略平面で構成される基板取付面３６を有する。
【００１３】
再度、図２を参照して、反射板５０は、筐体３０の表側に取り付けられる。図５は、反射板５０を正面から見たときの正面図であり、図６は、反射板５０を図５に矢印Ｂで示すＹ方向一方側から見たときの側面図である。図５に示すように、反射板５０は、光源部１２と同数の複数の反射部５１を含む。複数の反射部５１は、Ｘ方向に間隔をおいてＸ方向に一列に配置される。反射板５０は、一体構造を有し、Ｘ方向に隣り合う２つの反射部５１は、Ｘ方向に延在する板状の連結部５２で連結される。各反射部５１は、４つの反射面５６〜５９を含み、ＸＹ平面による断面は、後側に行くにしたがって徐々に小さくなる。反射板５０は、各反射部５１におけるＺ方向後側の端に略矩形の開口５５を有する。図６に示すように、反射板５０は、反射部５１毎に反射部５１を画定する壁部５６ｃ〜５９ｃを有する。壁部５６ｃ〜５９ｃは、反射面５６〜５９に対応する形状を有し、反射面５６〜５９の延在方向に延びる。壁部５６ｃ〜５９ｃをそのような形状に形成すると共に、Ｘ方向に隣り合う反射部５１を厚さが大きくない板状の連結部５２で連結することで、反射板５０の材料費を削減し、反射板５０の製造コストを低減している。再度、図２を参照して、透光性カバー７０は、細長い板形状を有する。透光性カバー７０は、透光性を有する硬い材料で構成される。透光性カバー７０の表側面７１は、筐体３０の凹部３１の開口形状に対応する略矩形の形状を有する。
【００１４】
図７は、図１のＡ‐Ａ線断面図であり、図８は、そのＸ方向片側の端部領域の拡大断面図である。図７に示すように、反射板５０の一部が筐体３０の一部３９に接触するまで、反射板５０を、筐体３０の表側から筐体３０の凹部３１（図３参照）に圧入により嵌め込み固定する。この嵌め込み固定の後、反射板５０の各開口５５は、Ｚ方向から見たとき筐体３０の対応する貫通孔３２に重なる。なお、反射板は、ねじ締め固定や、爪引掛穴に押込爪を挿入する爪構造による固定等で、筐体に固定されてもよい。この場合、反射板の肉厚を厚くし、突出壁部３３（図４参照）においてＸ方向に延在するＸ方向延在部３８を固定に用いると好ましい。
【００１５】
次に、透光性カバー７０の一部が筐体３０の一部３４に接触するまで、透光性カバー７０が凹部３１の開口を塞ぐように、透光性カバー７０を凹部３１に圧入により嵌め込む。透光性カバー７０の両側面７０ａを凹部３１の内側面３１ａに当接させることで、透光性カバー７０を筐体３０に確実に固定でき、透光性カバー７０を筐体３０に対してＸ方向に位置決めできる。また、光源基板１０を、取付手段、例えば、ねじ締め固定や、上述の爪構造による固定や、接着剤等で基板取付面３６（図４参照）に取り付ける。
【００１６】
図７に示すように、基板１１のＹ方向の筐体３０側の面は、筐体３０や反射板５０に対して離間配置される。この離間により、基板１１上に構築された回路上を流れる電流が、筐体３０及び反射板５０側に流れることを防止し、筐体３０及び反射板５０が基板１１に対して絶縁される。詳述しないが、この離間固定構造は、例えば、離間長さと同一の厚さを有する板状介在物を介して基板１１と筐体３０をＹ方向に固定することで実現できる。光源基板１０が筐体３０に取り付けられた状態で、各光源部１２に関して、１以上のＬＥＤ１５の全ては、Ｚ方向から見たときに、筐体３０の対応する貫通孔３２に重なると共に、反射板５０の対応する開口５５に重なる。
【００１７】
これらの圧入や締結部材を用いた固定により、光源基板１０、筐体３０、反射板５０、及び透光性カバー７０は、互いに固定され、一体に統合される。各部材１０,３０,５０,７０が一体に統合されて、照明装置１が構成された状態で、各光源部１２から出射された光は、反射部５１の開口５５を通過した後、反射部５１で囲まれる領域を通過し、更に透光性カバー７０を通過して外部に照射される。なお、反射板は、位置決めピンで基板に固定されてもよく、この場合、反射板を基板に対して精密に位置決めできて好ましい。
【００１８】
次に、照明装置１の各構成について更に詳しく説明する。基板１１は、例えば、プリント基板で構成される。基板１１は、如何なる硬さを有してもよく、リジット基板、フレキシブル基板、及びリジットフレキシブル基板のうちのいずれの基板で構成されてもよい。また、基板１１は、如何なる組成を有してもよく、例えば、紙フェノール基板、紙エポキシ基板、ガラスコンポジット基板、ガラスエポキシ基板、テフロン（登録商標）基板、アルミナ（セラミックス）基板、又はコンポジット基板等で構成される。
【００１９】
ＬＥＤは、例えば、白色ＬＥＤで構成されてもよく、それ以外の色の光を出射するＬＥＤで構成されてもよい。又は、各光源部は、１以上のＬＥＤの他にＬＥＤを封止する封止部材を含んでもよい。この場合、例えば、ＬＥＤは、例えば、単色の可視光を発するベアチップで構成され、通電されれば青色光を発する青色ＬＥＤチップで構成されてもよい。そして、封止部材は、例えば、透光性樹脂で構成され、ＬＥＤからの光を波長変換する役割を果たす蛍光体を含んでもよい。封止部材は、例えば、シリコーン樹脂に蛍光体粒子を分散させた蛍光体含有樹脂で構成されてもよい。また、光源部１２が白色光を出射し、ＬＥＤが青色光を発光する青色ＬＥＤチップである場合、蛍光体粒子は、例えばＹＡＧ系の黄色蛍光体で構成されてもよい。照明装置は、１つの一体の封止部材を備えてもよく、一体の封止部材が、複数の光源部に含まれる全てのＬＥＤを一括封止してもよい。又は、照明装置は、光源部の数に対応する数の複数の封止部材を備えてもよく、各封止部材が、各光源部に含まれる１以上のＬＥＤを一括封止してもよい。
【００２０】
反射板５０は、その反射面５６〜５９が光源部１２から出射された光を反射することで光源部１２からの光の配光を制御する。反射板５０は、例えば白色樹脂材料によって形成される。反射板５０を構成する樹脂材料としては、ポリブチレンテレフタレート等を好適に使用できる。なお、反射板５０は、アルミニウム等の金属材料によって形成されてもよく、樹脂成型品の内面にアルミニウム等の金属膜を形成したものでもよい。
【００２１】
図５に示すように、各反射部５１において、４つの反射面５６〜５９の表側の縁５６ｂ〜５９ｂは、略矩形の開口５４を画定し、図２に示すように、各反射部５１に対応する筐体３０の各貫通孔３２の開口は、矩形の形状を有する。このように、各反射部５１において前側先端（光出射側の先端）に位置する開口５４は、それに対応する筐体３０の貫通孔３２の開口の形状に対応する形状を有する。なお、反射部５１の光出射側の開口５４の形状と、それに対応する筐体３０の開口の形状が、共に矩形で対応する場合について説明した。しかし、反射部の光出射側の開口の形状と、それに対応する筐体の貫通孔の開口の形状は、矩形状以外の形状で対応してもよく、例えば、円形や楕円形で互いに対応してもよい。又は、反射部の光出射側の開口の形状と、それに対応する筐体の貫通孔の開口の形状は、互いに異なる形状でもよい。
【００２２】
再度、図５を参照して、４つの反射面５６〜５９の裏側の縁５６ａ〜５９ａも、略矩形の開口５５を画定する。４つの反射面５６〜５９のうちの一方の一対の反射面５８,５９の縁５８ａ,５９ａは、略Ｘ方向に延在し、他方の一対の反射面５６,５７の縁５６ａ,５７ａは、略Ｙ方向に延在する。一方の一対の反射面５８,５９は、反射板５０のＹ方向の中心を通過すると共にＸ方向及びＺ方向を含む平面Ｐ１（紙面手前側）に対して、前側に行くにしたがってＹ方向に離れるように傾斜する。また、他方の一対の反射面５６,５７は、開口５５の中心を通過すると共にＹ方向及びＺ方向を含む平面Ｐ２に対して、前側に行くにしたがってＸ方向に離れるように傾斜する。
【００２３】
一方の一対の反射面５８,５９に関し、前側に移動したときの離れの程度が大きくなるにしたがって、各反射面５８,５９で進行方向を調整される光を、Ｙ方向の離れる側に遠い領域まで到達させることができ、その結果、当該光でＹ方向のより広範囲な領域を照らすことができる。また、同様に、他方の一対の反射面５６,５７に関し、前側に移動したときの離れの程度が大きくなるにしたがって、各反射面５６,５７で進行方向を調整される光を、Ｘ方向に離れる側に遠い領域まで到達させることができ、その結果、当該光でＸ方向のより広範囲な領域を照らすことができる。
【００２４】
図５に示す例では、紙面において、各反射部５１ａ〜５１ｅにおいて、平面Ｐ１に対する紙面下側の反射面５９の傾斜度合が、平面Ｐ１に対する紙面上側の反射面５８の傾斜度合よりも大きい。また、照明装置１が車両前側天井に設置された状態で、紙面上側が車両前側に一致し、紙面下側が車両後側に一致する。このことから、照明装置１では、各反射部５１ａ〜５１ｅを介して出射される光で、車両の前後方向における後側領域のより広い範囲を照らすことができる。
【００２５】
更には、左から２番目の反射部５１ｂと左から４番目の反射部５１ｄは、反射部５１ｂ,５１ｄを構成する反射面５６〜５９の面積の総和が、それ以外の反射部５１ａ,５１ｃ,５１ｅを構成する反射面５６〜５９の面積の総和よりも大きい。また、それら２つの反射部５１ｂ,５１ｄに対応する光源部１２ｂ,１２ｄ（図２参照）は、４つのＬＥＤを含み、そのＬＥＤの数は、２つのＬＥＤを含む両端の光源部１２ａ,１２ｅや１つのＬＥＤのみを有する中央の光源部１２ｃよりも大きい。
【００２６】
その結果、図７を参照して、光照射部６１が、光源部１２と、それに対応する反射部５１で構成されるとき、複数の光照射部６１は、１以上のルーム照射部と、１以上のスポット照射部とを含む。また、ルーム照射部が、広範囲領域を照射する一方、スポット照射部は、上記広範囲領域よりも狭いスポット領域を照射する。そして、１以上のルーム照射部が、右から２番目の反射部５１ｂを含む光照射部６１ｂと、右から４番目の反射部５１ｄを含む光照射部６１ｄで構成され、１以上のスポット照射部は、それ以外の反射部５１ａ,５１ｃ,５１ｅを含む光照射部６１ａ,６１ｃ,６１ｅで構成される。１以上のスポット照射部には、基板１１の周辺側に位置する光照射部６１ａ,６１ｅが含まれ、１以上のルーム照射部には、その周辺側のスポット照射部を構成する光照射部６１ａ,６１ｅよりも基板１１の中央側に位置する光照射部６１ｂ,６１ｄが含まれる。光照射部６１ａ,６１ｅは、周辺スポット照射部を構成し、光照射部６１ｂ,６１ｄは、中央ルーム照射部を構成する。なお、本実施例では、照明装置１が備える複数の光照射部６１ａ,６１ｂ,６１ｃ,６１ｄ,６１ｅに、周辺スポット照射部と中央ルーム照射部が含まれる場合について説明した。しかし、照明装置が備える複数の光照射部に、周辺スポット照射部及び中央ルーム照射部が含まれなくてもよい。
【００２７】
図５及び図７に示すように、Ｘ方向一方側の端に位置する反射部５１ａのＸ方向一方側に位置する反射面５６は、それにＸ方向に対向する反射面５７との比較で、Ｚ方向前側に行くにしたがってＸ方向一方側に大きく傾く。よって、この反射部５１ａを含む光照射部６１ａ（図７参照）から出射された光は、車両前側の天井の幅方向中央部から幅方向左側に進行するスポット光を構成する。本実施例では、照明装置１を備える車両において、光照射部６１ａから出射された光は、右ハンドル車においては助手席周辺を照射し、左ハンドル車においては運転席周辺を照射する。光照射部６１ａは、座席照射部を構成する。
【００２８】
また、同様に、紙面におけるＸ方向他方側の端に位置する反射部５１ｅのＸ方向他方側に位置する反射面５７は、それにＸ方向に対向する反射面５６との比較で、Ｚ方向前側に行くにしたがってＸ方向他方側に大きく傾く。よって、この反射部５１ｅを含む光照射部６１ｅ（図７参照）から出射された光は、車両前側の天井の幅方向中央部から幅方向右側に進行するスポット光を構成する。本実施例では、照明装置１を備える車両において、光照射部６１ｅから出射された光は、右ハンドル車においては運転席周辺を照射し、左ハンドル車においては助手席周辺を照射する。光照射部６１ｅは、座席照射部を構成する。なお、本実施例では、照明装置１が備える複数の光照射部６１ａ,６１ｂ,６１ｃ,６１ｄ,６１ｅに座席照射部が含まれる場合について説明した。しかし、照明装置が備える複数の光照射部に座席照射部が含まれなくてもよい。
【００２９】
また、図７に示すように、ルーム照射部を構成する２つの光照射部６１ｂ,６１ｄと、中央部のスポット照射部を構成する１つの光照射部６１ｃの夫々に関し、光照射部６１ｂ,６１ｃ,６１ｄから出射される光の光軸は、基板１１の法線方向（Ｚ方向）に略進行する。換言すれば、ルーム照射部を構成する２つの光照射部６１ｂ,６１ｄと中央部のスポット照射部を構成する１つの光照射部６１ｃの夫々に関し、光照射部６１ｂ,６１ｃ,６１ｄから出射される光の光軸とＹ方向を含む平面を考えたとき、それらに含まれる反射部５１ｂ,５１ｃ,５１ｄは、その平面に対して略面対称に配置される。詳述しないが、ルーム照射部を構成する２つの光照射部６１ｂ,６１ｄのうちの一方は、特に、車両における幅方向一方側領域の広範囲な領域を照らし、上記２つの光照射部６１ｂ,６１ｄのうちの他方は、特に、車両における幅方向他方側領域の広範囲な領域を照らす。また、中央部のスポット照射部を構成する光照射部６１ｃは、車両前側下方に位置する小物入れをスポット的に照らすようになっている。
【００３０】
他方、図８に示すように、Ｘ方向他方側端のスポット照射部を構成する光照射部６１ｅに関し、その光照射部６１ｅに含まれる反射部５１ｅからなるスポット反射部は、その光照射部６１ｅが出射する光の光軸ｌが、基板１１の法線ｈに対して傾斜するように配置される。また、そのスポット照射部を構成する光照射部６１ｅに関し、Ｘ方向と光軸ｌを含む断面において、そのスポット反射部を構成する反射部５１ｅは、光軸ｌに対して線対称となる一対の直線ｍ１,ｍ２上に略位置する。また、そのスポット照射部を構成する光照射部６１ｅに含まれる反射部５１ｅは、Ｙ方向と光軸ｌを含む平面に対して面対称となる２つの平面に含まれる２つの平面部を有すると好ましいが、そのような２つの平面部を有さなくてもよい。
【００３１】
また、図示はしないが、同様に、Ｘ方向一方側端のスポット照射部を構成する光照射部６１ａに関し、その光照射部６１ａに含まれる反射部５１ａからなるスポット反射部は、その光照射部６１ａが出射する光の光軸が、基板１１の法線に対して傾斜するように配置される。また、そのスポット照射部を構成する光照射部６１ａに関し、Ｘ方向と光軸を含む断面において、そのスポット反射部を構成する反射部５１ａは、光軸に対して線対称となる一対の直線上に略位置する。また、そのスポット照射部を構成する光照射部６１ａに含まれる反射部５１ａは、Ｙ方向と光軸ｌを含む平面に対して面対称となる２つの平面に含まれる２つの平面部を有すると好ましいが、そのような２つの平面部を有さなくてもよい。
【００３２】
なお、基板１１が、一方向（Ｘ方向）に延在する場合、基板１１から透光性カバー７０までのＺ方向距離を、複数のＬＥＤ１５において最もＸ方向寸法が長い最大ＬＥＤ１５におけるそのＸ方向寸法の５倍以上３０倍以下に設定してもよい。このようにすれば、照明装置１のＺ方向距離を小さくできると共に、運転席や助手席に座っている人が、ＬＥＤ１５からの光を直視しにくくなる。よって、照明装置１をコンパクトに構成できると共に、その人が照明装置１からの光が眩しいと感じることを抑制できる。しかし、基板から光学部材までのＺ方向距離は、複数の発光素子において最もＸ方向寸法が長い最大発光素子におけるそのＸ方向寸法の５倍未満であってもよく、３０倍より大きくてもよい。
【００３３】
最後に、透光性カバー７０（図２参照）の構成について説明する。透光性カバー７０は、透明材料で構成される。透光性カバー７０は、例えば、アクリル、ポリカーボネート、シリコーン等の透明樹脂材料、又は、ガラス材料によって好適に構成される。
【００３４】
図９は、透光性カバー７０を表側から見たときの斜視図である。図９に示すように、透光性カバー７０の光入射面は、格子状に並べられたプリズムが設けられた複数の格子状プリズム部７１ａ,７１ｃ,７１ｅを含む。複数の格子状プリズム部７１ａ,７１ｃ,７１ｅは、Ｘ方向に間隔をおいて配置される。各スポット照射部からの光は、主に格子状プリズム部７１ａ,７１ｃ,７１ｅのいずれかを透過する。より詳しくは、光照射部６１ａからの光は、主に格子状プリズム部７１ａを透過し、光照射部６１ｃからの光は、主に格子状プリズム部７１ｃを透過し、光照射部６１ｅからの光は、主に格子状プリズム部７１ｅを透過する。格子状プリズムを通過する光は、各プリズムの延在方向に進行し易く広がりにくい。よって、スポット照射部からの光を、格子状プリズム部７１ａ,７１ｃ,７１ｅを透過させることで、スポット光を生成し易くなる。
【００３５】
透光性カバー７０の光入射面は、更に、間隔をおいて同じ方向に平行に延在する複数の突条プリズムが設けられた複数の突条プリズム部７１ｂ,７１ｄを含む。複数の突条プリズム部７１ｂ,７１ｄは、Ｘ方向に間隔をおいて配置される。各ルーム照射部からの光は、主に突条プリズム部７１ｂ,７１ｄのいずれかを透過する。より詳しくは、光照射部６１ｂからの光は、主に突条プリズム部７１ｂを透過し、光照射部６１ｄからの光は、主に突条プリズム部７１ｄを透過する。図９に示す例では、各突条プリズムは、Ｙ方向に延在する。突条プリズム部７１ｂ,７１ｄは、押出成形で容易に形成できる。
【００３６】
各突条プリズムの断面形状は、図１０（ａ）に示すように、ＸＺ断面で左右対称の二等辺三角形の形状であってもよく、図１０（ｂ）に示すように、ＸＺ断面で左右非対称の三角形の形状であってもよい。又は、突条プリズム部の各突条プリズムは、Ｙ方向ではなくてＸ方向に延在してもよい。各突条プリズム部の形状を調整することで、突条プリズム部を通過した光を所定領域に広げることができ、その光の配光を適切に調整できる。
【００３７】
本実施例では、突条プリズム部７１ｂの各突条プリズムは、突条プリズム部７１ｂを通過した光が車両の幅方向の一方側領域を広範囲に照射可能となる形状に成形される。また、突条プリズム部７１ｄの各突条プリズムは、突条プリズム部７１ｄを通過した光が車両の幅方向の他方側領域を広範囲に照射可能となる形状に成形される。なお、プリズムが、透光性カバー７０の光入射面に設けられる場合について説明したが、プリズムは、透光性カバーの光出射面に設けられてもよい。又は、プリズムは、透光性カバーの光入射面に設けられると共に、透光性カバーの光出射面に設けられてもよい。又は、図１１に示すように、照明装置１０１は、プリズムを有さない板状の透光性カバー１７０を有してもよい。
【００３８】
以上、照明装置１は、基板１１と、基板１１上に配置された複数の光源部１２を備え、各光源部１２が基板１１上に実装された１以上のＬＥＤ１５を含む。また、照明装置１は、光源部１２毎に設けられ、光源部１２から出射される光の進行領域を画定するように配置される反射部５１と、光源部１２から出射された光が透過する透光性カバー７０を備える。また、複数の反射部５１は、連結部５２を介して互いに連結される。また、光源部１２と、その光源部１２が出射する光の進行領域を画定する反射部５１は、光照射部６１を構成する。また、複数の光照射部６１は、１以上のルーム照射部と、１以上のスポット照射部とを含んで、ルーム照射部が、広範囲領域を照射する一方、スポット照射部は、広範囲領域よりも狭いスポット領域を照射する。また、少なくとも１つのスポット照射部に関し、そのスポット照射部に含まれる反射部５１ａ,５１ｅで構成されるスポット反射部は、そのスポット照射部が出射する光の光軸ｌが、基板１１の法線に対して傾斜するように配置される。
【００３９】
本構成によれば、少なくとも１つのスポット照射部に関し、スポット反射部の形状を適切に調整することで、スポット照射部が出射する光の光軸方向ｌを、基板１１の法線方向から傾ける。したがって、簡易な構成でスポット光を所望領域に精密に生成できるだけでなく、スポット光の生成領域の自由度を高くでき、汎用性を高くできる。
【００４０】
更には、複数の反射部５１が、連結部５２を介して互いに連結されるので、基板１１と一体に構成される複数の光源１２と、複数の反射部５１の位置調整を一度に行うことができる。よって、複数の反射部５１を複数の光源１２に対して高精度に位置決めでき、複数の光源１２に対する複数の反射部５１の位置ずれを小さくできる。
【００４１】
また、基板１１は、Ｘ方向に延在する細長い板形状を有してもよい。そして、Ｘ方向と光軸ｌを含む断面において、光軸ｌがＺ方向に対して傾いているスポット照射部のスポット反射部が、光軸ｌに対して線対称となる一対の直線ｍ１,ｍ２上に略位置してもよい。
【００４２】
本構成によれば、光軸ｌの傾斜方向を所望の傾斜方向に容易かつ高精度に一致させることができ、スポット光を所望領域に更に容易かつ精密に生成できる。
【００４３】
また、複数の光源部１２が、基板１１上に一例に配置されてもよい。
【００４４】
本構成によれば、スポット反射部の形状を変更させ易く、スポット反射部の形状の変更の自由度を高くできる。したって、スポット光の生成領域の自由度を更に高くでき、汎用性を更に高くできる。
【００４５】
また、１以上のスポット照射部には、基板１１の周辺側に位置する周辺スポット照射部が含まれ、１以上のルーム照射部には、上記周辺スポット照射部よりも基板１１の中央側に位置する中央ルーム照射部が含まれてもよい。
【００４６】
本構成によれば、中央ルーム照射部を、車両の幅方向中央側に配置し易い。したがって、中央ルーム照射部からの光を、車室の広範囲な領域に照射し易く、中央ルーム照射部からの光で車室の広範囲な領域を照らし易い。また、周辺スポット照射部を、車両の幅方向一方側又は他方側に配置し易い。よって、車両の幅方向一方側又は他方側にスポット光領域を容易に生成し易い。
【００４７】
また、照明装置１は、複数の反射部５１と透光性カバー７０とを統合し、光源部１２からの光を外部に照射させると共に光源部１２毎に設けられる貫通孔３２を有する筐体３０を備えてもよい。また、各貫通孔３２の開口は、それに対応する反射部５１の光出射側に位置する開口５４の形状に対応する形状を有してもよい。
【００４８】
本構成によれば、光源部１２が出射した光のうちで外部に出射される光の割合を高くでき、光の利用効率を高くできる。
【００４９】
また、反射部５１の光出射側に位置する開口５４の形状は、矩形状であってもよい。
【００５０】
本構成によれば、光の進行方向に垂直な断面形状を矩形に近づけ易い。よって、ルーム光をより広範囲な領域に照射し易い。
【００５１】
また、透光性カバー７０の光入射面に、格子状に並べられたプリズムが設けられた格子状プリズム部７１ａ,７１ｃ,７１ｅが含まれてもよい。
【００５２】
本構成によれば、光源１２からの光を格子状プリズム部７１ａ,７１ｃ,７１ｅを透過させることで、スポット光を生成し易い。
【００５３】
また、透光性カバー７０の光入射面に、間隔をおいて同じ方向に平行に延在する複数の突条プリズムが設けられた突条プリズム部７１ｂ,７１ｄが含まれてもよい。
【００５４】
本構成によれば、光源１２からの光を突条プリズム部７１ｂ,７１ｄを透過させることで、所望のルーム光を生成し易い。
【００５５】
また、基板１１は、一方向（Ｘ方向）に延在してもよい。そして、基板１１から透光性カバー７０までの基板１１の法線方向（Ｚ方向）の距離は、複数のＬＥＤ１５において最もＸ方向寸法が長い最大ＬＥＤにおけるＸ方向寸法の５倍以上３０倍以下であってもよい。
【００５６】
本構成によれば、照明装置１をコンパクトに構成できると共に、運転席や助手席に座っている人が、照明装置１からの光が眩しいと感じることを抑制できる。
【００５７】
また、本開示の車両は、運転席及び助手席と、本開示の照明装置１と、を備える。そして、１以上のスポット照射部には、運転席又は助手席の周辺領域を照射する座席照射部が含まれてもよい。
【００５８】
本構成によれば、車室内全体を明るくできるのに加えて、運転席や助手席の人が手作業等を行い易い車両を実現できる。
【００５９】
なお、本開示は、上記実施形態およびその変形例に限定されるものではなく、本願の特許請求の範囲に記載された事項およびその均等な範囲において種々の改良や変更が可能である。
【００６０】
例えば、上記実施形態では、図５に示すように、Ｘ方向に隣り合う２つの反射部５１を連結部５２を介して連結した。また、図９に示すように、Ｘ方向に隣り合う格子状プリズム部７１ａ,７１ｃ,７１ｅと突条プリズム部７１ｂ,７１ｄとをプリズムが存在しない板状部７２で連結した。しかし、Ｘ方向に隣り合う２つの反射部を直接連結してもよい。また、これに起因して、透光性カバーの光入射面及び光出射面のうちの少なくとも一方に、外部から発光素子を視認できない間隔で複数のプリズムを設けてもよい。このようにして、発光素子をプリズムで遮ることで、人が発光素子を直接視認できないようにして、人が照明装置１からの光が眩しいと感じることを抑制してもよい。
【００６１】
また、Ｘ方向と光軸ｌを含む断面において、光軸ｌがＺ方向に対して傾いているスポット照射部のスポット反射部が、光軸ｌに対して線対称となる一対の直線ｍ１,ｍ２上に略位置する場合について説明した。しかし、反射部の反射面は、湾曲面部を含んでもよく、Ｘ方向と光軸を含む断面において、光軸がＺ方向に対して傾いているスポット照射部のスポット反射部は、光軸に対して線対称となる一対の直線上に位置しなくてもよい。また、光軸ｌがＺ方向に対して傾いているスポット照射部のスポット反射部が、光軸とＹ方向を含む平面に対して面対称になる２つの平面に含まれる２つの平面部を有すると好ましいが、そのような２つの平面部を有さなくてもよい。
【００６２】
また、基板１１が、Ｘ方向に延在する細長い板形状を有し、複数の光源部１２が基板１１上に一例に配置される場合について説明した。しかし、基板は、例えば、表面及び裏面が正方形等の細長くない形状を有してもよい。また、複数の光源部１２は、基板１１上に複列に配置されてもよい。
【００６３】
また、照明装置１の全てのＬＥＤ１５が、サイズが同一で、同じ光量の光を出射する場合について説明した。しかし、照明装置１が備える複数のＬＥＤに、２以上の異なるＬＥＤが含まれてもよい。そして、例えば、サイズが大きくて出射光量が大きい大型のＬＥＤを、ルーム照射部に配置し、それよりサイズが小さくて出射光量が小さい小型のＬＥＤを、スポット照射部に配置してもよい。また、ルーム照射部が有するＬＥＤの数及びサイズと、スポット照射部が有するＬＥＤの数及びサイズとを同一とし、ルーム照射部のＬＥＤに大きな電流を供給すると共に、スポット照射部のＬＥＤにそれよりも小さい電流を供給するようにしてもよい。また、光学部材が凸面及び凹面を有さない板状の透光性カバー７０,１７０である場合について説明した。しかし、光学部材は、凸面と凹面のうちの少なくとも一方を有する透光性レンズで構成されてもよい。
【符号の説明】
【００６４】
１,１０１  照明装置、  １１  基板、  １２,１２ａ,１２ｂ,１２ｃ,１２ｄ,１２ｅ  光源部、  １５  ＬＥＤ、  ３０  筐体、  ５１,５１ａ,５１ｂ,５１ｃ,５１ｄ,５１ｅ  反射部、  ３２,３２ａ,３２ｂ,３２ｃ,３２ｄ,３２ｅ  筐体の貫通孔、  ５４  反射部の光出射側の開口、  ６１,６１ａ,６１ｂ,６１ｃ,６１ｄ,６１ｅ  光照射部、  ７０,１７０  透光性カバー、  ７１ａ,７１ｃ,７１ｅ  格子状プリズム部、  ７１ｂ,７１ｄ  突条プリズム部、  ｌ  光軸、  Ｘ方向  基板の延在方向（一方向）、  Ｙ方向  基板の幅方向、  Ｚ方向  基板の法線方向。
【図１】
2019177720.tif 000003
【図２】
2019177720.tif 000004
【図３】
2019177720.tif 000005
【図４】
2019177720.tif 000006
【図５】
2019177720.tif 000007
【図６】
2019177720.tif 000008
【図７】
2019177720.tif 000009
【図８】
2019177720.tif 000010
【図９】
2019177720.tif 000011
【図１０】
2019177720.tif 000012
【図１１】
2019177720.tif 000013